【手続補正書】
【提出日】平成19年10月16日(2007.10.16)
【手続補正１】
【補正対象書類名】明細書
【補正対象項目名】特許請求の範囲
【補正方法】変更
【補正の内容】
【特許請求の範囲】
【請求項１】  画像データから当該画像の成分に関して求められるヒストグラムに基づいて画像データの補正を行う画像処理方法であって、
複数の補正を連続して行ない、該複数の補正のうち先行して行われる補正の際に、当該先行する補正処理に伴ってその後の補正で用いるヒストグラムを作成することを特徴とする画像処理方法。
【請求項２】  前記先行する補正処理で生成される画像の成分について度数を累積することによりヒストグラムを作成することを特徴とする請求項１に記載の画像処理方法。
【請求項３】  画像データから当該画像の成分に関して求められるヒストグラムに基づいて画像データの補正を行う画像処理方法であって、
複数の補正を連続して行ない、該複数の補正のうち先行して行われる補正に際して用いられたヒストグラムに基づき、その後の補正で用いるヒストグラムを作成することを特徴とする画像処理方法。
【請求項４】  前記その後の補正で用いるヒストグラムは、前記先行する補正で用いられるヒストグラムに当該先行する補正の処理と同様の処理を施すことにより作成することを特徴とする請求項３に記載の画像処理方法。
【請求項５】  前記複数の補正には、前記画像データに基づいて印刷装置によって印刷される印刷画像の濃度補正に関して前記成分を補正する処理が含まれることを特徴とする請求項１ないし４のいずれかに記載の画像処理方法。
【請求項６】  前記濃度補正に関する成分の補正は、画像データが示す画像の明るさに関する成分の値の画素数に関するヒストグラムから前記画像の明るさの度合いを判別し、該判別に基づいて前記画像データの明るさに関する成分を補正する程度を定め、該定められた補正の程度に従い当該成分を補正することを特徴とする請求項５に記載の画像処理方法。
【請求項７】  前記画像処理方法は、前記ヒストグラムにおいて、前記成分の値の範囲においてその最大値または最小値からの累積度数が所定の値を示す成分の値を求め、
前記ヒストグラムにおいて、前記最小値または最大値から所定の成分の値までの累積度数を求め、
前記求めた成分の値および累積度数に基づいて前記明るさの度合いを判別し、該判別に基づいて前記補正する程度を定めるステップを有することを特徴とする請求項６に記載の画像処理方法。
【請求項８】  前記補正する程度を定めるステップは、前記累積度数のヒストグラムの全画素数に占める割合に基づいて前記明るさの度合いを判別することを特徴とする請求項７に記載の画像処理方法。
【請求項９】  前記成分の値は、画像データが示す輝度値であることを特徴とする請求項７または８に記載の画像処理方法。
【請求項１０】  前記補正する程度を定めるステップは、前記成分の値に基づいて当該画像を明るさに関して複数段階に判別し、該判別した複数段階の明るさ毎に当該補正する程度を異ならせて定めることを特徴とする請求項８または９のいずれかに記載の画像処理方法。
【請求項１１】  前記補正する程度を定めるステップは、前記割合に基づき、前記複数段階の明るさ毎に当該画像の明るさの分布を複数段階で判別し、該判別した複数段階の明るさの分布毎に当該補正する程度を異ならせて定めることを特徴とする請求項１０に記載の画像処理方法。
【請求項１２】  前記成分は、画像の輝度であることを特徴とする請求項１ないし１１のいずれかに記載の画像処理方法。
【請求項１３】  前記成分の補正は、印刷装置であるインクジェットプリンタの特性に応じた濃度を用いることを特徴とする請求項１ないし１１のいずれかに記載の画像処理方法。
【請求項１４】  画像データから当該画像の成分に関して求められるヒストグラムに基づいて画像データの補正を行う画像処理方法であって、
第一のヒストグラムに基づいて画像データの第一の補正処理を行ない、
第二のヒストグラムに基づいて当該画像データに基づき印刷装置によって印刷される印刷画像の濃度補正に関する成分の補正処理であって前記第一の補正処理とは異なる第二の補正処理を行う
ステップを有したことを特徴とする画像処理方法。
【請求項１５】  前記第二のヒストグラムは、前記第一の補正処理に伴って作成されることを特徴とする請求項１４に記載の画像処理方法。
【請求項１６】  前記第二のヒストグラムは、前記第一の補正処理で生成される画像の成分について度数を累積することにより作成されることを特徴とする請求項１５に記載の画像処理方法。
【請求項１７】  前記第二のヒストグラムは、前記第一の補正処理に際して用いられたヒストグラムに基づき作成されることを特徴とする請求項１４に記載の画像処理方法。
【請求項１８】  前記第二のヒストグラムは、前記第一の補正処理で用いられるヒストグラムに当該第一の補正処理と同様の処理を施すことにより作成されることを特徴とする請求項１７に記載の画像処理方法。
【請求項１９】  前記第一および第二の補正処理は、それぞれが選択されることにより、当該二つの補正処理が連続して行われ、それぞれが個々に選択されるそれぞれ選択された補正処理が行われる請求項１４ないし１８のいずれかに記載の画像処理方法。
【請求項２０】  画像データから当該画像の成分に関して求められるヒストグラムに基づいて画像データの補正を行う画像処理装置であって、
複数の補正を連続して行ない、該複数の補正のうち先行して行われる補正の際に、当該先行する補正処理に伴ってその後の補正で用いるヒストグラムを作成することを特徴とする画像処理装置。
【請求項２１】  画像データから当該画像の成分に関して求められるヒストグラムに基づいて画像データの補正を行う画像処理装置であって、
複数の補正を連続して行ない、該複数の補正のうち先行して行われる補正に際して用いられたヒストグラムに基づき、その後の補正で用いるヒストグラムを作成することを特徴とする画像処理装置。
【請求項２２】  画像データから当該画像の成分に関して求められるヒストグラムに基づいて画像データの補正を行う画像処理装置であって、
第一のヒストグラムに基づいて画像データの第一の補正処理を行なう第一の補正手段と、
第二のヒストグラムに基づいて当該画像データに基づき印刷装置によって印刷される印刷画像の濃度補正に関する成分の補正処理であって前記第一の補正処理とは異なる第二の補正処理を行う第二の補正手段と
を具えたことを特徴とする画像処理装置。
【請求項２３】  コンピュータによって読取り可能なプログラムを格納した記憶媒体であって、
該プログラムは、画像データから当該画像の成分に関して求められるヒストグラムに基づいて画像データの補正を行うプログラムであって、
複数の補正を連続して行ない、該複数の補正のうち先行して行われる補正の際に、当該先行する補正処理に伴ってその後の補正で用いるヒストグラムを作成するプログラムであることを特徴とする記憶媒体。
【請求項２４】  コンピュータによって読取り可能なプログラムを格納した記憶媒体であって、
該プログラムは、画像データから当該画像の成分に関して求められるヒストグラムに基づいて画像データの補正を行うプログラムであって、
複数の補正を連続して行ない、該複数の補正のうち先行して行われる補正に際して用いられたヒストグラムに基づき、その後の補正で用いるヒストグラムを作成するプログラムであることを特徴とする記憶媒体。
【請求項２５】  コンピュータによって読取り可能なプログラムを格納した記憶媒体であって、
該プログラムは、画像データから当該画像の成分に関して求められるヒストグラムに基づいて画像データの補正を行うプログラムであって、
第一のヒストグラムに基づいて画像データの第一の補正処理を行ない、
第二のヒストグラムに基づいて当該画像データに基づき印刷装置によって印刷される印刷画像の濃度補正に関する成分の補正処理であって前記第一の補正処理とはことなる第二の補正処理を行う
ステップを有したプログラムであることを特徴とする記憶媒体。
【請求項２６】  画像のハイライトポイントおよびシャドーポイントに応じた第一の補正処理を行い、
画像における濃度を上げるために、前記補正処理が行われた画像における低輝度領域の割合に応じて、該画像に対する補正条件を求め、
前記求められた補正条件に基づき、前記補正処理が行われた画像に対して第２の補正処理を行うことを特徴とする画像処理方法。
【手続補正２】
【補正対象書類名】明細書
【補正対象項目名】００１６
【補正方法】変更
【補正の内容】
【００１６】
【課題を解決するための手段】
そのために本発明では、画像データから当該画像の成分に関して求められるヒストグラムに基づいて画像データの補正を行う画像処理方法であって、複数の補正を連続して行ない、該複数の補正のうち先行して行われる補正の際に、当該先行する補正処理に伴ってその後の補正で用いるヒストグラムを作成することを特徴とする。
【手続補正３】
【補正対象書類名】明細書
【補正対象項目名】００１７
【補正方法】変更
【補正の内容】
【００１７】
また、画像データから当該画像の成分に関して求められるヒストグラムに基づいて画像データの補正を行う画像処理方法であって、複数の補正を連続して行ない、該複数の補正のうち先行して行われる補正に際して用いられたヒストグラムに基づき、その後の補正で用いるヒストグラムを作成することを特徴とする。
【手続補正４】
【補正対象書類名】明細書
【補正対象項目名】００１９
【補正方法】変更
【補正の内容】
【００１９】
本発明の他の形態では、画像データから当該画像の成分に関して求められるヒストグラムに基づいて画像データの補正を行う画像処理装置であって、複数の補正を連続して行ない、該複数の補正のうち先行して行われる補正の際に、当該先行する補正処理に伴ってその後の補正で用いるヒストグラムを作成することを特徴とする。
【手続補正５】
【補正対象書類名】明細書
【補正対象項目名】００２０
【補正方法】変更
【補正の内容】
【００２０】
また、画像データから当該画像の成分に関して求められるヒストグラムに基づいて画像データの補正を行う画像処理装置であって、複数の補正を連続して行ない、該複数の補正のうち先行して行われる補正に際して用いられたヒストグラムに基づき、その後の補正で用いるヒストグラムを作成することを特徴とする。
【手続補正６】
【補正対象書類名】明細書
【補正対象項目名】００２１
【補正方法】変更
【補正の内容】
【００２１】
さらに、画像データから当該画像の成分に関して求められるヒストグラムに基づいて画像データの補正を行う画像処理装置であって、第一のヒストグラムに基づいて画像データの第一の補正処理を行なう第一の補正手段と、第二のヒストグラムに基づいて当該画像データに基づき印刷装置によって印刷される印刷画像の濃度補正に関する成分の補正処理であって前記第一の補正処理とは異なる第二の補正処理を行う第二の補正手段と、を具えたことを特徴とする。